(57)【要約】【課題】管体に吸い込まれた液体が、口腔内で直接咽喉に向って勢いよく噴出される事のないストローを提供する。【解決手段】ストローの管体の側面に開口部をもち、又は側方に向った開口部をもつ。又は管体内部から外部への流通口をもつヘッドを備えてもよい。管体に吸い込まれた液体が口腔内で噴出される際、管体の長手方向以外の方向に噴出されるので、全量が直接咽喉の奥方向に向って管体から噴出されることがない。【効果】直接咽喉の奥方向に向って管体から噴出されないため、飲料水等の液体が口腔内にとどまって広がり、味わいがよくなる。また、気管支に液体を吸込む可能性も低くなるため、幼児・お年寄りにも好適に用いられる。【選択図】　図１
2004024408.tif 000002
【特許請求の範囲】
【請求項１】
管体に吸い込まれた液体が口腔内で噴出される際、管体の長手方向以外の方向に噴出されることを特徴とするストロー。
【請求項２】
管体の少なくとも一方の端部が閉塞され、閉塞された端部の近傍で管体側面に開口部をもつ請求項１記載のストロー。
【請求項３】
管体の少なくとも一方の端部に、長手方向に直角な方向に短管が接続され、短管の両端が開口している請求項１記載のストロー。
【請求項４】
管体の少なくとも一方の端部に、管体内部から外部へ連通する複数の流通口をもつヘッドが設けられた請求項１記載のストロー。
【請求項５】
管体の一部分に蛇腹が設けられている請求項１から４のいずれかに記載のストロー。
【発明の詳細な説明】
【０００１】
【産業上の利用分野】
本発明は、コップ，容器等から飲料を吸上げて飲用するために用いられるストローの構造に関する。
【０００２】
【従来の技術】
従来、コップ等の容器に入った清涼飲料水等を飲用するのにストローが使われている。従来のストロー１０は図４のように、中空の真直ぐな又は途中に蛇腹のついた管体１１の両端部を単に切断した状態のものである。そのため、ストローの元端の開口部１１ａを口に含んで飲料水等を吸い込むと、先端の一箇所の開口部１１ｂから吸込んだ飲料水等の全量が、単に切断されたストローの元端の一箇所の開口部１１ａから真直ぐに喉の奥の方向に勢いよく噴出するため、かなりの割合で口腔内にとどまらずに直接食道に流れ込んでしまう。また、ストローに慣れていない幼児や高齢者等は気管支に吸込み易く、咳込んだりし易かった。
【０００３】
飲料水等が口腔内に留まらずに直接咽喉に送られ食道に流れ込んでしまうと、飲料水等が口腔内にとどまる割合が少なくなり舌に接し難い。そのため、飲料水等の味を十分味わえないで飲込むことになる。一方、管体の端部を単に切断した状態のストローでは、飲料水等に浸漬され飲料水等の吸込み口となる開口部は一箇所であり、時として容器の底部や氷等を吸引して開口部が塞がれてしまうため、飲料水等を吸上げ難くなることがある。
【０００４】
【発明が解決しようとする課題】
そこで、本発明者は、ストローの端部の形状について、鋭意検討を進め、本発明に至った。本発明は、以上に説明した管体の端部を単に切断した状態の従来のストローにおける問題点を解消し、飲料水等を吸上げやすく、飲料水等が口腔内にとどまりやすいように改良されたストローを提供することを目的とする。
【０００５】
【課題を解決するための手段】
本発明のストローは、上記目的を達成するため、管体に吸い込まれた液体が口腔内で噴出される際、管体の長手方向以外の方向に噴出されることを特徴とする。具体的には、ストロー管体の少なくとも一方の端部を閉塞し、閉塞された端部の近傍で管体側面に単数又は複数の開口部を設ける。また、管体の端部に、管体の長手方向に直角な方向に短管を接続し、短管の両端を開口しておいてもよい。管体の端部に、管体内部から外部へ連通する流通口をもつヘッドを設けてもよい。管体の一部分に蛇腹が設けられていれば管体が蛇腹部分で屈曲し、端部の角度が変えられる。
【０００６】
【実施の形態】
本発明に従ったストロー１は、例えば図１のような構造になっている。すなわち、管体２の開口した端部３をつぶして接着し、開口ｈ１を閉塞する。次いで、閉塞された端部３の近傍の管体２の側面に長径５ｍｍ程度の楕円形ないしは円形に開口部ｈ２を形成する。これを通常と同様に一端をコップ等の容器に入れたジュース等の飲料水等の中に浸漬し、他端を口に含み吸引すると、口腔内に飲料水等がストローの長手方向に直角に噴出する。閉塞された端部３の近傍の管体２の側面に複数の開口部ｈ２，ｈ２を設けることもできる。
【０００７】
飲料水等の直角方向の噴出を妨げない限り、閉塞された端部３には側面の開口部ｈ２と同等又は小さ目の開口部ｈ３を同時に設け、飲料水等の一部を長手方向に噴出させることも出来る（図１ｂ）。開口部ｈ２の形状としては断面を図１（ｃ）のようにすると、飲料水等の噴出方向が管体２を流入する方向とは逆の矢印方向になり、飲料水等が口腔内全体、特に甘味を感ずる舌先に広がりやすくなる。図２（ｄ）のように管体２の端部３に切込みＡを入れ、端部３の先端を合わせて接着すると、管体２の側面に開口部ｈ２が形成され、飲料水等は矢印のように噴出し、本発明を好適に実施できる。開口部ｈ２の数、開口部ｈ３の有無、開口部ｈ２や開口部ｈ３の開口面積、開口位置等は、吸込みやすさ、噴出状態、外観、製造の容易さ等を適宜考慮して設計される。
【０００８】
ストロー管体の長手方向以外の方向へ噴出させる本発明に従ったストローとして、図２に示す構造も考えられる。すなわち、管体２の端部３に切込みＡを入れ、切込みＡの中に、側面に開口部ｈ４をもつ短管４を入れ、端部３の先端を合わせて接着する。短管４の端部は開口部ｈ５があり、飲料水等は管体２の内部から開口部ｈ４を通って、短管４の開口部ｈ５から管体２に直角な方向に噴出する。
【０００９】
本発明に従ったストローの他の例を図３に示す。この例では、ストロー管体２の端部にヘッド５が設けられる。ヘッド５は例えば（ａ）のようにボール状で管体２に固着されている。ヘッド５の内部は、断面図（ｂ）のように、管体２内部から外部へ連通する複数の流通口５ａが形成されている。複数の流通口５ａにより飲料水等の噴出が分散され弱くなるので、管体長手方向への流通口５ｂがあってよい。もちろん、ヘッド５の形状は、略図（ｃ）のように外部へ連通する複数の流通口５ａが形成されている限り、丸型・扁平やサイコロ状、円筒状、円錐台状、ハート型、スペード型等でもよく、使い勝手、材質、外観等を考慮してデザインされる。ヘッド５の材質は、成形性・コスト等の面から管体２と同様、合成樹脂が好ましい。もちろん、本発明に従ったストローの場合も、管体２の一部に蛇腹を設けると使い勝手がよくなる。
【００１０】
ストローの両端３，３について本発明に従った構造にすると、どちらを上にして用いてもかまわないストローになる。この場合、飲料水等に浸漬された方のストロー端部も本発明に従った構造になっているので、吸引時に容器の底部や氷等に吸付いてしまうことがなく吸上げ易い。また、マドラーのように用いても従来のストローよりもマドラーとしての効果がある。
【００１１】
【発明の効果】
本発明のストローを用いると、吸上げた飲料水等が管体の長手方向以外の方向に噴出するので、吸引する時飲料水等がストローの開口部を通して、ストロー管体の長手方向に勢いよく噴出することがない。そのため、飲料水等が直接咽喉に衝突せず、口腔内で分散されて口腔内全体に飲料水等が拡がり、飲料水等をよりよく味わうことができ、また飲料水等が気管支の方へ吸込まれにくいため咳き込むようなこともなくなる。さらに、従来のストローのように容器の底部や氷等がストローの先に吸引されて開口部を塞ぐようなこともなくなる。
【図面の簡単な説明】
【図１】は本発明に従ったストローの数例を説明する図。
【図２】は本発明に従った別の例を説明する図。
【図３】は本発明に従ってヘッドを設けたストローを説明する図。
【図４】は従来のストローの液体の流れを説明する図。
【符号の説明】
１：ストロー　　　２：管体　　　３：端部　　　４：短管
５：ヘッド　　　５ａ：流通口
ｈ１〜ｈ５：開口部　　　Ａ：切込み
【図１】
2004024408.tif 000003
【図２】
2004024408.tif 000004
【図３】
2004024408.tif 000005
【図４】
2004024408.tif 000006